(57)【特許請求の範囲】
【請求項１】
複数の利用者に共用される情報掲示装置であって、
ネットワークを介して接続される装置及び／又は直接接続される装置から電子メールを含むコンテンツを収集する収集手段と、
利用者から入力される所定の設定情報を受け付ける受付手段と、
前記所定の設定情報に従って、前記収集されたコンテンツの中から特定のコンテンツを抽出して表示する表示手段と、を有し、
前記所定の設定情報には、電子メールの差出人情報ごとに、当該差出人からの電子メールの通知対象の利用者を特定する利用者情報が含まれ、
前記表示手段は、前記差出人情報及び前記利用者情報に基づいて、前記収集されたコンテンツに含まれる電子メールのうち前記差出人情報が示す差出人からの電子メールについて、当該電子メールに関する情報と、前記利用者情報が示す利用者ごとの閲覧状態とを表示し、
前記受付手段は、前記利用者情報が示す利用者ごとに前記閲覧状態の変更を受け付け、
前記表示手段は、前記利用者情報が示す利用者ごとの前記閲覧状態の全てが閲覧完了に変更されるまで、当該電子メールに関する情報と前記閲覧状態とを表示する、
ことを特徴とする情報掲示装置。
【請求項２】
複数の利用者に共用される情報掲示装置であって、
ネットワークを介して接続される装置及び／又は直接接続される装置から電子メールを含むコンテンツを収集する収集手段と、
利用者から入力される所定の設定情報を受け付ける受付手段と、
前記所定の設定情報に従って、前記収集されたコンテンツの中から特定のコンテンツを抽出して表示する表示手段と、を有し、
前記所定の設定情報には、キーワード情報ごとに、当該キーワードが含まれる電子メールの通知対象の利用者を特定する利用者情報が含まれ、
前記表示手段は、前記キーワード情報及び前記利用者情報に基づいて、前記収集されたコンテンツに含まれる電子メールのうち前記キーワード情報が示すキーワードが含まれる電子メールについて、当該電子メールに関する情報と、前記利用者情報が示す利用者ごとの閲覧状態とを表示し、
前記受付手段は、前記利用者情報が示す利用者ごとに前記閲覧状態の変更を受け付け、
前記表示手段は、前記利用者情報が示す利用者ごとの前記閲覧状態の全てが閲覧完了に変更されるまで、当該電子メールに関する情報と前記閲覧状態とを表示する、
ことを特徴とする情報掲示装置。
【請求項３】
請求項１又は２に記載の情報掲示装置であって、
前記収集手段により収集されるコンテンツには、Ｗｅｂサイト送信される情報、メールサーバから送信される電子メール、テレビ局から送信される番組情報、店舗から送信されるサービス情報、情報家電から送信される情報、他の情報掲示装置から送信される情報の少なくとも一種類以上が含まれる、
ことを特徴とする情報掲示装置。
【請求項４】
複数の利用者に共用される情報掲示装置としてコンピュータを機能させるためのプログラムであって、
ネットワークを介して接続される装置及び／又は直接接続される装置から電子メールを含むコンテンツを収集する収集手段と、
利用者から入力される所定の設定情報を受け付ける受付手段と、
前記所定の設定情報に従って、前記収集されたコンテンツの中から特定のコンテンツを抽出して表示する表示手段、としてコンピュータを機能させ、
前記所定の設定情報には、電子メールの差出人情報ごとに、当該差出人からの電子メールの通知対象の利用者を特定する利用者情報が含まれ、
前記表示手段は、前記差出人情報及び前記利用者情報に基づいて、前記収集されたコンテンツに含まれる電子メールのうち前記差出人情報が示す差出人からの電子メールについて、当該電子メールに関する情報と、前記利用者情報が示す利用者ごとの閲覧状態とを表示し、
前記受付手段は、前記利用者情報が示す利用者ごとに前記閲覧状態の変更を受け付け、
前記表示手段は、前記利用者情報が示す利用者ごとの前記閲覧状態の全てが閲覧完了に変更されるまで、当該電子メールに関する情報と前記閲覧状態とを表示する、
ことを特徴とするプログラム。
【請求項５】
複数の利用者に共用される情報掲示装置としてコンピュータを機能させるためのプログラムであって、
ネットワークを介して接続される装置及び／又は直接接続される装置から電子メールを含むコンテンツを収集する収集手段と、
利用者から入力される所定の設定情報を受け付ける受付手段と、
前記所定の設定情報に従って、前記収集されたコンテンツの中から特定のコンテンツを抽出して表示する表示手段、としてコンピュータを機能させ、
前記所定の設定情報には、キーワード情報ごとに、当該キーワードが含まれる電子メールの通知対象の利用者を特定する利用者情報が含まれ、
前記表示手段は、前記キーワード情報及び前記利用者情報に基づいて、前記収集されたコンテンツに含まれる電子メールのうち前記キーワード情報が示すキーワードが含まれる電子メールについて、当該電子メールに関する情報と、前記利用者情報が示す利用者ごとの閲覧状態とを表示し、
前記受付手段は、前記利用者情報が示す利用者ごとに前記閲覧状態の変更を受け付け、
前記表示手段は、前記利用者情報が示す利用者ごとの前記閲覧状態の全てが閲覧完了に変更されるまで、当該電子メールに関する情報と前記閲覧状態とを表示する、
ことを特徴とするプログラム。
【発明の詳細な説明】
【技術分野】
【０００１】
本発明は、複数人で情報を共有する技術に関する。特に、家庭内のような小規模なグループ内での、様々な種類の情報を共有する技術に関する。
【背景技術】
【０００２】
家庭内で情報を共有する方法として、カレンダに家族の予定を書き込み合う方法がある。書き込んだ情報を見てお互いの予定を把握しあう。また、冷蔵庫の扉や側面に連絡メモを貼り付ける方法も一般的によく用いられている。また、電話中に音声を録音しておくことや、伝言メモを残すことで、家族へ情報を伝える方法もある。さらに、近年では、口頭や電話によるコミュニケーションだけでなく、携帯電話の電子メールを用いて、互いに情報を伝えあう方法もある。
一方で家庭内の情報化が進み、電子手帳やパソコンで管理されている家族のスケジュールや番組情報（ＥＰＧ：Electronic Programming Guide）、ニュース、地図情報、辞書情報、電車やバスの時刻表情報などの生活に必要な情報であってインターネットで検索した結果得られた情報など、共有すべき情報は家庭内にあふれている。
【０００３】
家庭内の情報の氾濫に拍車をかけるものとして、情報の自動収集技術がある。例えば、インターネットから得られる情報をプッシュ型で配信してくれるサービスがある。ＰＣをインターネットに常時接続しておき、ニュース、プロ野球、天気、占い、音楽などの生活に役立つ最新のトピックスをＰＣのスクリーンセーバーに配信するソフトウェア（gooスクリーンセーバー：gooは登録商標）がある。（その機能の概要は、非特許文献１参照。）。
【０００４】
電子情報を共有するための手段として、複数のユーザが利用することが前提となっている掲示板システム（電子掲示板と呼ぶ。）がある。インターネット上では多くの電子掲示板が公開され、利用されている。これらの電子掲示板は、利用者が個人のＰＣからインターネットを通して利用することができる。また、表示装置を備えた電子掲示板も公開されている。例えば、掲示する情報の重要度を、掲示情報の掲示日時、現在の日時、締切り日時を元に計算し、重要度に応じて掲示情報の表示形態を変化させて表示するものがある（例えば、特許文献１参照。）。
【０００５】
【非特許文献１】goo  スクリーンセーバー、〔平成１７年１０月２１日検索〕、インターネット（ＵＲＬ：http://screen.goo.ne.jp/）
【特許文献１】特開平６−６７６３０号公報
【発明の開示】
【発明が解決しようとする課題】
【０００６】
電子メールは家庭内においても重要なコミュニケーション手段となっている。しかし、基本的に電子メールは１対１のコミュニケーションに適している。家庭内で３人以上の家族が情報を共有する場合、電子メールならではの不便な点がある。例えば、印刷物であれば、冷蔵庫の扉などの目に付き易い場所に掲示しておけば、多数の家族でその情報を共有できるが、電子メールで受信した情報を、誰もが目にする場所に掲示することは難しい。
【０００７】
非特許文献１に開示されている技術は、ニュース、プロ野球、天気、占い、音楽などの生活に役立つ最新のトピックスが自動的に配信されるシステムである。しかし、ユーザは、ニュース、プロ野球などの配信される情報の項目の中から受信する項目を選択するだけであり、ユーザが欲しい情報を指定して収集することや、ユーザが情報を利用するだろうシーンにおいて提示することはできない。また、インターネット以外からの情報、例えば、電子メールや情報家電内のコンテンツの更新情報なども収集することはできない。
【０００８】
また、電子掲示板システムに関して、特許文献１に開示された技術では、重要度を掲示情報の掲示日時、現在の日時、締切り日時を元に計算して決定しているが、家庭内で共有する情報は、雑多なものがあり、重要度は、これらの要因だけでは定まらないことが多い。
【０００９】
本発明は、上記事情に鑑みてなされたもので、複数人で多様な情報源から取得した情報を共有する環境において、必要十分な情報の収集、提供を支援する技術を提供することを目的とする。
【課題を解決するための手段】
【００１０】
上記課題を解決するために、本発明は、複数の情報提供手段から提供される情報を収集して一括管理し、予め入力された条件および情報の使用状況に応じて、表示する情報を選択する。
【００１１】
具体的には、収集した情報を表示する家庭用情報掲示板であって、ネットワークを介して接続されている機器および直接接続されている機器から情報を収集してコンテンツとして登録する情報収集手段と、前記登録されたコンテンツの中で、コンテンツのプロパティが所定の条件に合致するコンテンツを抽出して表示画面構成を編成する表示コンテンツ編成手段と、前記表示コンテンツ編成手段が編成した表示画面構成に従って、表示すべきコンテンツ情報を取得して表示画面に表示する表示手段と、を備えることを特徴とする家庭用情報掲示板を提供する。
【発明の効果】
【００１２】
本発明によれば、複数人で多様な情報源から取得した情報を共有する環境において、必要十分な情報の収集、提供を支援することができる。
【発明を実施するための最良の形態】
【００１３】
以下、本発明を適用した実施の形態を、図面を用いて説明する。本実施形態は、家庭内で利用することを目的とした家庭用情報掲示板であり、番組情報、電子メール、インターネット上の情報、家庭内の情報機器からの情報、といったさまざまな情報を表示し、家庭内での情報共有を支援する。
【００１４】
図１は、本発明を適用した実施形態である家庭用情報掲示板によるシステムの全体構成図である。まず、図１を用いて、本実施形態の家庭用情報掲示板の全体構成の概要を述べる。
【００１５】
本実施形態の家庭用情報掲示板１０１は、コンテンツ収集機能１０２、コンテンツ管理機能１０３、表示コンテンツ編成機能１０４、プロファイル生成機能１０５、コンテンツ表示機能１０６、利用履歴１０７、設定情報１０８、各種プロパティ１０９、コンテンツプロパティ１１０、コンテンツ１１１、表示コンテンツメニュー１１２、利用履歴登録機能１１３、ディスプレイ２００を備える。
【００１６】
本実施形態の家庭用情報掲示板１０１は、インターネットなどのネットワークに接続可能な情報処理装置により実現される。情報処理装置は、ＣＰＵ、メモリ、記憶装置、出力装置（ディスプレイ）などを備え、記憶装置に格納されたプログラムをメモリにロードしてＣＰＵが実行することにより、上記各種機能を実現する。また、各処理結果は、記憶装置に格納される。また、例えば、近年普及してきているＰＣ（Ｐｅｒｓｏｎａｌ  Ｃｏｍｐｕｔｅｒ）にテレビの機能を付加したテレビＰＣ（テレパソ、ＡＶＰＣとも呼ぶ）であって、大型のディスプレイを備えた居間に置くテレビの置き換えとなるテレビＰＣなどを利用して実現することができる。
【００１７】
コンテンツ収集機能１０２は、家庭に入ってくるさまざまな情報を定期的に収集し、コンテンツ１１１として蓄積する。コンテンツ１１１として蓄積されるさまざまな情報とは、家庭の情報家電１２０から送られてくる情報家電内の情報や状態、ＩＳＰ（Ｉｎｔｅｒｎｅｔ  Ｓｅｒｖｉｃｅ  Ｐｒｏｖｉｄｅｒ）のメールサーバ１３０から送られてくる電子メール、メールマガジン、コミュニティからの連絡メール、ＩＳＰのＷｅｂサーバ１４０から送られてくる、ＰＵＳＨ型広告、ニュース、天気予報、時刻表などのメタデータ、周辺店舗１５０から送られてくるサービス更新の、例えば、入荷情報、セール情報、予約情報（これらは現在余り利用されていないが、センサーネットの普及などにより、店員の行動から自動的にアップされるようになると考えられる。）などのメタデータ、親戚や友人宅からのステータス情報やメール、テレビ局の送出器１６０から配信されている番組情報などである。すなわち、さまざまな情報の中には、コンテンツそのものと、コンテンツにアクセスするための手がかりとなるメタデータとが混在している。
【００１８】
なお、親戚、友人宅には、本実施形態の家庭用情報掲示板１０１と同様の家庭用情報掲示板２０１が設置されていてもよい。また、家庭用情報掲示板１０１と家庭内の情報家電とは、ネットワークを介さず、直接接続するよう構成してもよい。
【００１９】
具体的には、コンテンツ１１１には、電子メール、Ｗｅｂの更新情報や番組情報などのメタデータ、情報家電のステータス、後述する各種プロパティ１０９に設定されているリマインダが収集され格納される。Ｗｅｂの更新情報や番組情報などのメタデータには、ＷｅｂサイトのＵＲＬや番組の格納場所などの情報が記述されている。利用者は表示されたメタデータを選択確定する操作を行うことによって、当該メタデータで特定されるＷｅｂサイトや番組を視聴することができる。
【００２０】
情報家電から送られてくる機器内の情報やステータスとは、情報家電の電源のＯＮ／ＯＦＦ状態、ビデオフォン電源のＯＮ／ＯＦＦ状態、ＴＶ番組の録画／再生などの利用情報の更新情報などが挙げられる。親戚や友人宅からのステータス情報も、同様に、当該家庭用情報掲示板２０１に接続されている情報家電の情報などである。
【００２１】
設定情報１０８は、ユーザが情報を選択するための条件として予め登録する情報である。設定情報１０８は、自分の住んでいる場所や現在日時、自分の収集したい情報に関するキーワードや、ディスプレイ２００に表示したい電子メールの差出人やキーワードなどの情報である。また、リマインダの内容も登録される。
【００２２】
コンテンツ管理機能１０３は、コンテンツ収集機能１０２が収集してコンテンツ１１１に登録するコンテンツのプロパティを、設定情報１０８や予め登録してある条件である各種プロパティ１０９に従って分類し、コンテンツプロパティ１１０として登録する。なお、コンテンツのプロパティとは、コンテンツを特徴づける各種の属性のことであり、登録されるコンテンツプロパティ１１０の詳細については、後述する。
【００２３】
表示コンテンツ編成機能１０４は、定期的にコンテンツプロパティ１１０にアクセスし、所定の条件に合致するコンテンツを表示するコンテンツとして特定して表示コンテンツメニュー１１２を生成するとともに、表示画面を編成する。所定の条件とは、ユーザの設定したキーワード、ユーザごとの利用の状況などにより定められるものである。
【００２４】
表示コンテンツメニュー１１２は、情報を更新するコンテンツのＩＤがリストアップされている「更新要求リスト」と、新たに表示するコンテンツのＩＤがリストアップされている「表示要求リスト」と、表示を止めるコンテンツのＩＤがリストアップされている「消去要求リスト」とを備える。「表示要求リスト」には、周知要求相手の情報がある場合は、当該情報も格納される。ここで、周知要求相手とは、電子メールを通知すべき相手のことである。
【００２５】
コンテンツ表示機能１０６は、表示コンテンツ編成機能１０４が編成した表示画面に従って、表示コンテンツ編成機能１０４が生成した表示コンテンツメニュー１１２によって特定されるコンテンツを、コンテンツ１１１から取得し、ディスプレイ２００に表示する。
【００２６】
プロファイル生成機能１０５は、ユーザからの設定情報１０８を受け付け、受け付けた設定情報１０８と後述する利用履歴１０７とから後述する各種プロパティ１０９を生成する。なお、利用履歴１０７は、ユーザから、ディスプレイ２００に表示されたコンテンツ等をクリックするなどの操作を受け付けた場合、対象のコンテンツ等について生成される。
【００２７】
利用履歴登録機能１１３は、ユーザが家庭用情報掲示板１０１を利用する毎に、利用したユーザを特定する情報、利用したコンテンツ、利用時刻などを収集し、利用履歴１０７として登録する。
【００２８】
次に、コンテンツ表示機能１０６によってディスプレイ２００に表示される本実施形態の家庭用情報掲示板１０１の画面例を説明する。図２は、本実施形態のディスプレイ２００に表示された家庭用情報掲示板１０１の画面例である。画面を、上段、中段、下段に分けて説明する。
【００２９】
上段は、ユーザが予め登録した情報を表示する領域である。本実施形態では、カレンダ、リマインダ、ビデオフォン、天気予報、時刻表を表示するようユーザが登録した場合を例にあげて説明する。もちろん、表示させるよう登録可能な情報は、これらに限られない。
【００３０】
上段左部にはカレンダ２１０が表示される。上段中部にはリマインダ２１１が表示される。上段右部は定型の最新情報を表示する領域であり、更に上段、中段、下段に分かれている。
【００３１】
上段右部の上段にはビデオフォンに関する情報２１２が表示される。ここでは、ビデオフォンで会話可能な相手が色づけされている。なお、ビデオフォン２１２は、家庭用情報掲示板１０１を利用したテレビ電話であり、家庭用情報掲示板１０１にカメラとヘッドセットマイクを接続して利用する。上段右部の中段には地域の天気予報２１３が表示される。上段右部の下段には最寄り駅の電車時刻２１４が表示される。
【００３２】
中段は、電子メール２２１を表示する領域である。本実施形態では、例えば、電子メール２２１は、画面の右端に当初表示され、左端へと順次移動するようアニメーション表示される。中央に位置した際、拡大表示され、しばらく静止する。拡大表示されている状態を選択されている電子メール２２３と呼ぶ。選択されている電子メール２２３は、閲覧チェック欄２２４を備える。閲覧チェック欄２２４には、周知要求で特定されているユーザが表示される。選択されている電子メール２２３に対し、マウス、リモコンなどの装置を介してユーザからの確定操作を受け付けると、コンテンツ表示機能１０６は、選択されている電子メール２２３の全文を表示する。なお、電子メール２２１の表示はこれに限られない。例えば、一般の電子メール用のアプリケーションを用い、表示するよう構成してもよい。
【００３３】
コンテンツ収集機能１０２が収集した電子メール２２１は、コンテンツ管理機能１０３が、電子メール２２１の差出人を読み取り、内容を分析してキーワードを抽出し、設定情報１０８内の差出人やキーワードの設定に従って、予め用意された電子メールフォルダ２２２に保存する。なお、電子メールフォルダ２２２は、電子メールの内容を分析して、コンテンツ管理機能１０３が自動的に生成しても良い。
【００３４】
なお、携帯電話のメールでは、例えば、家族全員が閲覧可能なアカウントを家族用アカウントとして用意することも可能である。この場合、メールの本文の一行目に、例えば「閲覧：ユーザ１」など、本メールの閲覧を要求する周知要求相手を記述するルールを定めておく。コンテンツ管理機能１０３は、予め登録された差出人からメールが届いた場合、メール本文の一行目に「閲覧」が記述されているか否かを判別し、記述されている場合は、その後に書かれた所定長の文字列をコンテンツプロパティ１１０の周知要求３０４に記入するよう構成してもよい。
【００３５】
下段は、家庭用情報掲示板１０１により自動収集された情報２３１を表示する領域である。本領域に表示される情報は、例えば、システムが自動的に録画した番組、インターネットから取得した情報、ローカルディスク内の情報など、コンテンツ１１１として記憶装置に格納されている情報である。表示される内容は、例えば、情報のキーワード、情報源（インターネットか、番組情報か、情報家電の情報かなど）、タイトル、内容のサマリである。サマリとして、写真などのイメージ情報も表示することができる。
【００３６】
下段の情報の表示方法は問わない。例えば、中段の電子メールと同様に、右から左へと流れるアニメーションで表示され、中央で静止して拡大し、中段と交互に選択状態になるよう構成してもよいし、拡大して選択状態にならずに、ユーザがリモコンやタッチパネルなどの入力装置を用いて、直接選択するよう構成しても良い。ユーザの操作により選択が確定されると、コンテンツ表示機能１０６は、インターネットコンテンツであればブラウザを起動して、リンク先（情報元）のページを表示し、録画番組であれば番組を再生し、番組情報であれば番組予約ソフトウェアを起動する。音楽や動画のサンプルの場合は、プレイヤを起動して再生する。
【００３７】
次に、プロファイル生成機能１０５が生成する各種プロパティ１０９について説明する。図３、図４は各種プロパティ１０９を説明するための図である。
各種プロパティ１０９は、これらの図に示すように、ユーザプロファイル４００と、自動生成プロファイル４１０と、電子メール設定情報５０１と、受信電子メールの差出人周知要求の設定情報５０２と、受信電子メールのキーワード周知要求の設定情報５０３と、リマインダの設定情報５０４と、ビデオフォンの設定情報５０５と、モニタリングサイトの設定情報５０６とを備える。プロファイル生成機能１０５は、ユーザから設定情報１０８の入力を受け付けると、それらを、図３および図４に示す各種プロパティ１０９として格納する。
【００３８】
図３は、ユーザプロファイル４００の一例である。プロファイル生成機能１０５が、ユーザプロファイル４００として設定する情報は、機器の設置場所４０１、郵便番号４０２、最寄駅４０３、バス停４０４、日時４３０、コンテンツ収集機能１０２が情報を収集するための登録サイト４２０と、キーワード４０７である。これらの情報は、ユーザから入力される。コンテンツ収集機能１０２は、これらのユーザプロファイル４００に登録されている情報を用いて、情報を収集する。
【００３９】
なお、家庭用情報掲示板１０１が、利用者ごとに操作用リモコンを備えたり、ログイン操作してから利用する機能を備えたりするなどして、複数の利用者の操作を分けて受け付ける機能を備えている場合は、利用者ごと４０５に、ディスプレイを利用する時間４０６とキーワード４０７とを設定することが可能である。
【００４０】
例えば、子供が利用する時間を昼間の時間帯に設定することにより、深夜の時間帯には子供が利用できないようにすることができる。また、子供は昼間の時間帯、親は夜の時間帯というように、利用者ごとに利用する時間帯を分けて設定することにより、昼は子供用のキーワードにヒットした情報が、夜は親用のキーワードにヒットした情報が優先的に表示される。家庭用情報掲示板１０１が複数の利用者の操作を分けて受け付ける機能を持たない場合は、利用者ごとの設定を行うことはできない。
【００４１】
ユーザプロファイル４００は、さらに、自動生成プロファイル４１０として、暫定キーワード４１１とキーワード４１２と重み４１３とを備える。これらの情報は、プロファイル生成機能１０９により、家庭用情報掲示板１０１に表示されたコンテンツの利用に応じて自動的に生成される。生成手順の詳細については、後述する。
【００４２】
暫定キーワード４１１は、電子メールが利用された場合や、番組が視聴された場合に、その関連情報についての情報を収集するために設けられる。プロファイル生成機能１０９が生成した暫定キーワード４１１に基づいてコンテンツ収集機能１０２が情報収集を行うことで、ユーザの利用したコンテンツに関連するコンテンツを自動収集することが可能となる。
【００４３】
図４（ａ）は、電子メールの設定情報５０１である。電子メールの設定情報５０１には、アカウント、メールアドレス、受信メールサーバ、送信メールサーバ、ログイン名、パスワード、ユーザ情報など、一般の電子メールの設定に用いられる情報が登録される。
【００４４】
図４（ｂ）は、電子メールの差出人周知要求の設定情報５０２である。電子メールの差出人周知要求の設定情報５０２には、差出人ごとに、当該差出人からのメールを通知する相手が周知要求として登録される。コンテンツ管理機能１０３は、特定の差出人から届いたメールを周知要求に登録されている利用者が本メールをチェックするまで表示を続けるよう管理することができる。
【００４５】
図４（ｃ）は、受信電子メールのキーワード周知要求の設定５０３である。受信電子メールのキーワード周知要求の設定５０３には、受信メールに含まれるキーワードごとに当該メールを通知する相手が周知要求として登録される。コンテンツ管理機能１０３は、コンテンツ収集機能１０２が収集した電子メールの内容を解析して、本設定５０３に登録されているキーワードが抽出された場合、周知要求に登録されている利用者がチェックするまででは差出人の設定と同様に、受信した電子メールに特定のキーワードが含まれていた場合に、周知させたい利用者が、当該メールをチェックするまで、表示を続けるよう管理する。
【００４６】
図４（ｄ）は、リマインダの設定５０４である。リマインダの設定５０４には、表示コンテンツ編成機能１０４がリマインダを表示させるよう画面構成をするために必要な情報が登録される。具体的には、リマインダとして表示すべき内容ごとの、表示するタイミングを示す通知日と周知要求とである。周知要求は、周知要求に登録されたユーザがリマインダを確認するまで、表示コンテンツ編成機能１０４が表示を続けるよう管理するためのものである。ここには、ユーザが設定情報１０８として登録した内容が登録される。
【００４７】
図４（ｄ）に示す例では、リマインダの設定５０４として、毎木曜日と毎月２４日に表示すべき情報がリマインダとして設定されている。コンテンツ管理機能１０３が電子メールの件名および本文中の日付と思われる記述を検出し、リマインダへの転記をユーザに促すダイアログを表示するなどしてもよい。また、リマインダの設定５０４にルールを記述できるようにし、通知のタイミングをさらに詳細に設定可能なように構成してもよい。例えば、雨の日に表示する、天気予報や気温の予報によって表示する、などである。なお、リマインダを表示するタイミングは、後述のコンテンツ収集フローでの定期的な取得タイミングより長い期間単位で設定する。
【００４８】
図４（ｅ）は、ビデオフォンの設定５０５である。ビデオフォンの設定５０５には、接続先を一意に特定する情報が登録される。ここでは、例えば、接続先の名称と、固定ＩＰアドレスが登録される。
【００４９】
図４（ｆ）は、モニタリングサイトの設定５０６である。モニタリングサイトの設定５０６には、コンテンツ収集機能１０２が常にモニタをして最新の情報を収集するサイトのＵＲＬが登録されている。
【００５０】
図４（ｆ）には、天気予報のサイトと時刻表のサイトとをモニタリングするよう設定した例を示す。天気予報や電車の運行情報などは、テレビ番組でも放送しているため、テレビの映像で見たい人のために、放送される度に番組を録画して特定のファイルに格納するような機能を提供してもよい。この場合は、録画番組の格納場所を、上記サイトのＵＲＬの代わりに設定する。図４（ｆ）のモニタリングサイトの設定５０６の最下段の番組録画のＵＲＬは、録画番組の格納場所を登録したものである。
【００５１】
番組録画のフォルダの格納場所を登録するよう構成する場合、更新情報を自動的に生成する機能を新たに設け、新しいファイルが追加されると新規に番組が録画されたと判断して、番組を録画したことを示すステータス情報と録画した番組の番組情報（メタデータ）とをコンテンツ収集機能１０２に送るようにしても良い。
【００５２】
モニタリングサイトの設定５０６にＵＲＬを設定する情報としては、他に占いや道路の交通情報なども考えられる。
【００５３】
なお、モニタリングサイトの設定５０６に利用時刻欄を設けて、利用時刻によってモニタリングサイトを変更できるように構成してもよい。例えば、朝は最寄り駅の上りホームの時刻表だけを、夕方は下りホームの時刻表だけを表示するようにしてもよい。また、ユーザ欄を設けて、ユーザごとに設定できるようにしてもよい。
【００５４】
次にコンテンツプロパティ１１０について説明する。コンテンツプロパティ１１０は、コンテンツ収集機能１０２が収集したコンテンツのプロパティをコンテンツ管理機能１０３が登録したものである。表示コンテンツ編成機能１０４が表示コンテンツを編成する際に用いられる。
【００５５】
図５に、本実施形態のコンテンツ管理機能１０３が、コンテンツ収集機能１０２が収集したコンテンツから生成するコンテンツプロパティ１１０の一例を示す。
【００５６】
本図に示すように、コンテンツプロパティ１１０には、収集した全てのコンテンツのプロパティが統一されたフォーマットで登録される。表示コンテンツ編成機能１０４は、コンテンツプロパティ１１０にアクセスすることにより、コンテンツ収集機能１０２が収集したさまざまな情報から所定の条件に合致したコンテンツを抽出することができる。
【００５７】
プロパティとして、具体的には、種別３０１、コンテンツＩＤ３０２、収集日時３０３、周知要求３０４、利用者／キーワード・プロパティ３０５、設定者（重み）３０６、表示状態／期限３０７が登録される。コンテンツによっては、登録されない項目もある。
【００５８】
コンテンツ管理機能１０３は、コンテンツ収集機能１０２によりコンテンツが収集されると処理を開始し、収集されたコンテンツの種別３０１を判別して登録する。種別の決定は、各コンテンツの入手経路およびモニタリングサイトの設定５０６に従う。ここでは、例えば、カレンダ情報であれば、「カレンダ」、ビデオフォンから取得したものであれば、「ビデオフォン」、天気予報または時刻表のサイトから取得したものであれば、それぞれ「天気予報」または「時刻表」、リマインダであれば「リマインダ」、電子メールであれば、「メール」、その他のインターネットから収集したコンテンツであれば、「自動収集情報」とする。なお、カレンダ情報は、本家庭用情報掲示板１０１が実装される情報処理装置が有する時計情報などから取得される。また、リマインダは、各種プロパティ１０９から取得される。
【００５９】
そして、コンテンツ収集機能１０２がコンテンツを収集してコンテンツ１１１として格納する際に各コンテンツに一意に付与したコンテンツＩＤを、コンテンツＩＤ３０２として登録し、収集した日時を収集日時３０３として登録する。コンテンツがリマインダまたは電子メールの場合は、各種プロパティ１０９の受信電子メールの差出人周知要求の設定５０２、受信電子メールのキーワード周知要求の設定５０３、リマインダの設定５０４を参照して、そのコンテンツに該当する周知要求の登録があれば、それを抽出し、周知要求３０４として登録する。
【００６０】
リマインダの場合、通知日を利用者／キーワード・プロパティ３０５として登録する。また、電子メールの場合は、電子メールの件名および本文の内容を解析し、受信電子メールのキーワード周知要求の設定５０３に設定されているキーワードが含まれている場合は、当該キーワードを利用者／キーワード・プロパティ３０５として登録する。種別３０１が自動収集情報と判別された情報の場合は、コンテンツのメタデータにユーザプロファイル４００に設定されている設定キーワード４０７、暫定キーワード４１１、および、キーワード４１２のいずれかが含まれている場合、含まれているキーワードを登録する。
【００６１】
なお、複数のキーワードが該当した場合、各キーワードの重みの値を比較し、重みの値が最も大きいキーワードを利用者キーワード・プロパティ３０５として登録する。
【００６２】
利用者／キーワード・プロパティ３０５としてキーワードを登録した場合、そのキーワードの設定者と重みとを設定者（重み）３０６として登録する。重みは、利用者キーワード・プロパティ３０５に登録したキーワードの重みを登録する。設定キーワード４０７と暫定キーワード４１１には、予め固定の重みを与えておく。また、キーワード４１２の重みは、重み４１３に設定された値である。
【００６３】
なお、家庭用情報掲示板１０１が利用しているユーザを特定する機能を備える場合、利用中のユーザが指定したキーワードに該当するコンテンツの重みを上げる、あるいは、後述する利用履歴１０７を参照し、キーワードが利用されやすい時刻を自動生成プロファイル４１０に設け、現在の時刻が該当する場合、そのコンテンツの重みを上げるといった機能を設けてもよい。
【００６４】
表示状態／期限３０７には、コンテンツの表示期限を設定する。表示期限は、予め定められた規則に従って算出され、設定される。例えば、自動収集情報の場合、設定キーワード４０７がマッチしたコンテンツは収集日時に７日を加えた日時、暫定キーワード４１１がマッチしたコンテンツは収集日コンテンツプロパティ１１０に登録した期限をモニタし、期限が切れたコンテンツはコンテンツ１１１から削除するよう構成してもよい。コンテンツを新たに追加した場合には、表示状態／期限３０７に「新着」フラグを立てる。
【００６５】
次に、利用履歴１０７について説明する。利用履歴１０７は、利用者（ユーザ）が、家庭用情報掲示板１０１に表示されたコンテンツを利用した場合に、利用履歴登録機能１１３により記録される情報である。利用履歴１０７には、主として、ユーザが利用したコンテンツのＩＤと利用時間とが記録される。
図６は、本実施形態の利用履歴１０７の一例である。本図に示すように、利用履歴１０７には、コンテンツＩＤ６００と、設置場所６０１と、利用者６０２と、利用時刻６０３と、処理６０４とが登録される。
【００６６】
コンテンツＩＤ６００と利用時刻６０２とは、利用履歴登録機能１１３が登録する。具体的には、表示中のコンテンツをユーザが選択すると、ユーザの選択を受け付けた利用履歴登録機能１１３が、コンテンツ表示機能１０６に選択されたコンテンツのコンテンツＩＤをコンテンツプロパティ１１０から取得させると共に、システムが保持する現在時刻から利用時刻を取得し、利用履歴１０７に記録する。
【００６７】
利用者６０２は、利用者のログイン操作などからその情報を取得する。ログイン操作無しで利用できる場合は、本情報の登録はなくてもよい。また、設置場所６０１として、使用された家庭用情報掲示板１０１の、ユーザプロファイル４００に登録されている設置場所４０１が登録される。家庭用情報掲示板１０１が１台のみの場合は、本情報の登録はなくてもよい。処理６０４は、プロファイル生成機能１０５が利用履歴１０７に登録されたコンテンツを各種プロパティ１０９の生成に用いたか否かを示す情報である。既に使用されたコンテンツについては、処理済を、未使用のものについては、未処理、を示すフラグを登録する。
【００６８】
次に、本実施形態の家庭用情報掲示板１０１における処理とデータの流れとを説明する。図７は、本実施形態の家庭用情報掲示板１０１の処理とデータの流れの概要を示す図である。
【００６９】
コンテンツ収集機能１０２が、各種のコンテンツを収集してコンテンツ１１１に格納し、コンテンツ管理機能１０３がコンテンツプロパティ１１０を生成／管理し、表示コンテンツ編成機能１０４がコンテンツプロパティ１１０を参照して表示コンテンツメニュー１１２を生成し、コンテンツ表示機能１０６が表示コンテンツメニュー１１２に従ってコンテンツ１１１を読み出して表示すべきデータを取得して表示する。
【００７０】
なお、コンテンツ収集機能１０２がコンテンツ収集する対象は、図７に図示したものに限られない。例えば、図７には、周辺店舗１５０が図示されていないが、コンテンツ収集機能１０２は、周辺店舗１５０からも収集してもよい。
【００７１】
次に、上記コンテンツ収集機能１０２によるコンテンツ収集処理について説明する。図８は、コンテンツ収集処理の流れを示した図である。
【００７２】
コンテンツ収集機能１０２は、メールサーバ１３０、Ｗｅｂサーバ１４０、周辺店舗１５０、他所の家庭用情報掲示板２０１、テレビ局の送出器１６０、情報家電１２０から情報を収集する。
【００７３】
コンテンツ収集機能１０２は、処理が開始されると、各種プロパティ１０９にアクセスし、ユーザプロファイル４００の登録サイト４２０に登録されているＵＲＬと、電子メールの設定情報５０１に設定されている受信メールサーバのＵＲＬと、情報を取得する他の家庭用情報掲示板２０１へのアクセスに必要な情報と、情報家電へのアクセスに必要な情報と、ビデオフォンの設定情報５０５からビデオフォンのアドレスと、リマインダの設定情報５０４からリマインダの内容および通知日を取得する。なお、他の家庭用情報掲示板２０１へのアクセスに必要な情報および情報家電へのアクセスに必要な情報は、予め登録しておく、または、機器のステータス情報を送信し合う特定のプロトコルを予め定めて定期的にステータス情報を相互に送受信するなどの方法で取得する。
【００７４】
登録サイト４２０から取得したＵＲＬにアクセスすることにより（ステップ８１０）、Ｗｅｂサーバ１４０からメタデータ（サイトの更新情報）をダウンロードする（ステップ８１１）。
【００７５】
電子メールの設定情報５０１から取得したＵＲＬにアクセスすることにより（ステップ８２０）、受信メールサーバ１３０からメールをダウンロードする（ステップ８２１）。
【００７６】
取得したアクセスに必要な情報を用いて、他の家庭用情報掲示板２０１、ビデオフォン、情報家電などにアクセスし（ステップ８３０）、その時点のステータス情報を取得する（ステップ８３１）。
【００７７】
取得したリマインダの通知日と現在の日付とを比較し（ステップ８４５）、合致した場合リマインダの内容をコンテンツとして取得する（ステップ８４６）。
【００７８】
コンテンツ収集機能１０２は、ダウンロードなどにより収集した情報それぞれに、一意にコンテンツＩＤを付与し（ステップ８５１）、コンテンツ１１１に格納する（ステップ８５２）。
【００７９】
そして、コンテンツ収集機能１０２は、一定時間待機後（ステップ８５３）、終了の指示の有無を確認し（ステップ８５４）、終了の指示がなければ、処理を再開する（ステップ８１０、８２０、８３０、８４５）。
【００８０】
一方、テレビ局の送出器１６０からのコンテンツについては、処理開始後、コンテンツ収集機能１０２は、配信待ち状態で待機し（ステップ８４０）、送出器１６０から放送されたタイミングで番組情報などのメタデータを収集する（ステップ８４１）。そして、収集したコンテンツにコンテンツＩＤを付与し（ステップ８４２）、コンテンツ１１１に格納する（ステップ８４３）。その後、終了指示がなければ（ステップ８５４）、配信待ち状態にもどる（ステップ８４０）。
上記ステップ８５４において、終了指示を受け付けると、コンテンツ収集機能１０２は、コンテンツの収集を終了する（ステップ８５５）。なお、コンテンツ収集処理の開始、終了の指示は、ユーザからの入力されるよう構成してもよいし、予め開始終了時刻を定めておく、定期的に行うなど自動化してもよい。
【００８１】
次に、コンテンツ収集機能１０２が収集しコンテンツ１１１に格納したコンテンツを、表示するために編成する表示コンテンツ編成機能１０４により表示コンテンツ編成処理について説明する。
【００８２】
図９は、本実施形態の表示コンテンツ編成機能１０４による表示コンテンツ編成処理の流れを示す図である。
【００８３】
本処理は、コンテンツ管理機能１０３によってコンテンツプロパティ１１０が更新されたことをきっかけに開始される（ステップ９０１）。
【００８４】
表示コンテンツ編成機能１０４は、コンテンツプロパティ１１０を参照し、表示状態／期限３０７に「新着」フラグが保持されているものの有無を確認する（ステップ９０２）。
【００８５】
表示コンテンツ編成機能１０４は、「新着」フラグが付与されているコンテンツについて、種別３０１を読み取り、種別３０１に応じてステップ９１１、９３１、９３１、９４１のいずれかの処理に進む。
【００８６】
種別３０１がカレンダ、ビデオフォン、天気予報、時刻表の場合（ステップ９１１）、表示コンテンツメニュー１１２の「更新要求リスト」に、当該コンテンツのコンテンツＩＤ３０１を追加し（ステップ９１２）、コンテンツプロパティの表示状態／期限３０７から「新着」フラグを削除してコンテンツプロパティの表示状態を更新し（ステップ９１３）、ステップ９０２に戻る。
【００８７】
種別３０１がリマインダの場合（ステップ９２１）、表示状態／期限３０７に「表示中」のフラグが格納されているリマインダの利用者／キーワード・プロパティ３０５の日時と現在日時とを比較し（ステップ９２２）、一致していない場合はステップ９２３に進み、表示コンテンツメニュー１１２の「消去要求リスト」に一致していないコンテンツのコンテンツＩＤ３０１を追加し、表示状態／期限３０７を「終了」に更新し（ステップ９２３）、ステップ９２４に進む。ステップ９２２において、表示状態／期限３０７に「表示中」のフラグが格納されているリマインダの利用者／キーワード・プロパティ３０５の日時と現在日時とが一致している場合は、ステップ９２４に進む。
【００８８】
ステップ９２４では、表示状態／期限３０７に「非表示中」のフラグが格納されているリマインダの利用者／キーワード・プロパティ３０５の日時と現在日時とを比較し（ステップ９２４）、一致している場合には、表示コンテンツメニュー１１２の「表示要求リスト」に一致したコンテンツのコンテンツＩＤ３０１を追加して、表示状態／期限３０７を「表示中」に更新し（ステップ９２５）、ステップ９０２に戻る。ステップ９２４において一致していない場合は、ステップ９０２に戻る。
【００８９】
種別３０１がメールの場合（ステップ９３１）、表示コンテンツメニュー１１２の「表示要求リスト」に当該コンテンツのコンテンツＩＤ３０１と周知要求３０４とを追加し、表示状態／期限３０７を「表示中」に更新し（ステップ９３２）、ステップ９０２に戻る。
【００９０】
種別３０１が自動収集情報の場合（ステップ９４１）、現在の日時と表示状態／期限３０７とに格納されている情報を比較し、表示期限を過ぎたコンテンツの有無を判断する（ステップ９４２）。
【００９１】
表示期限を過ぎたコンテンツの場合、表示コンテンツメニュー１１２の「消去要求リスト」に当該コンテンツのコンテンツＩＤ３０１を追加し、コンテンツプロパティの表示状態／期限３０７を「終了」に更新して（ステップ９４３）ステップ９４４に進む。表示期限を過ぎていないコンテンツの場合は、そのままステップ９４４に進む。
【００９２】
種別３０１が自動収集情報であって、表示状態／期限３０７に「非表示中」フラグが格納されているコンテンツプロパティ群の中から重み３０６の値が最高値であるコンテンツを選択する（ステップ９４４）。
【００９３】
次に、種別３０１が自動収集情報であって表示状態／期限３０７が「表示中」のフラグが格納されているコンテンツの数を数え、表示制限数と比較する（ステップ９４５）。表示制限数以下であれば、表示コンテンツメニュー１１２の「表示要求リスト」に、ステップ９４４で選択したコンテンツのコンテンツＩＤ３０１を追加し（ステップ９４６）、ステップ９０２に戻る。
【００９４】
表示制限数以下でなければ、ステップ９４４で選択した表示状態／期限３０７が「非表示中」の中で最高値のコンテンツの重み３０６と「表示中」の中で重み３０６が最低値のコンテンツの重み３０６とを比較し（ステップ９４７）、「非表示中」の重み３０６が「表示中」のものを超えている場合、表示コンテンツメニュー１１２の「消去要求リスト」に「表示中」の中で重み３０６が最低値のコンテンツのコンテンツＩＤ３０１を追加して表示状態／期限３０７を「非表示中」に更新する。また、表示コンテンツメニュー１１２の「表示要求リスト」に「非表示中」の中で重み３０６が最高値のコンテンツのコンテンツＩＤ３０１を追加して表示状態／期限３０７を「表示中」に更新する（ステップ９４９）。そして、ステップ９０２に戻る。
【００９５】
ステップ９４７において、超えていない場合は、ステップ９０２に戻る。
なお、ステップ９０２において、「新着」フラグが格納されているコンテンツがない場合は、表示コンテンツメニュー１１２をコンテンツ表示機能１０６に送信し（ステップ９５１）、処理を終了する（ステップ９５２）。
【００９６】
表示コンテンツメニュー１１２を受け取ったコンテンツ表示機能１０６は、表示コンテンツメニュー１１２の各リストの記載されたコンテンツＩＤに従って、コンテンツ１１１からコンテンツを読み出し、コンテンツの更新、新規表示、削除を行う。
【００９７】
なお、ステップ９４５における表示制限数は、予めシステムが設定しておいても良いし、ユーザが設定するようにしても良い。
【００９８】
次に、プロファイル生成機能１０５によるユーザプロファイル生成処理について説明する。本実施形態では、ユーザプロファイル４００の自動生成プロファイル４１０として、暫定キーワード４１１、キーワード４１２、重み４１３が下記に示す手順で自動的に設定される。図１０は、本実施形態のユーザプロファイル生成処理の流れを示す図である。
【００９９】
プロファイル生成機能１０５は、処理を開始する（ステップ１００１）と、利用履歴１０７にアクセスし、更新の有無を確認する（ステップ１０１１）。更新の有無は、利用履歴１０７の処理６０４に「未処理」が登録されているものが有る場合、更新されたとする。なお、処理は、所定時間ごとに開始される。しかし、利用履歴１０７が更新されたことをきっかけに開始するよう構成してもよい。この場合、ステップ１０１１の処理は行わない。
【０１００】
利用履歴１０７が更新されている場合、暫定キーワード４１１として登録されているキーワードがキーワード４１２に登録されているか否かを、ユーザプロファイル４００に登録されている全利用者について判別する（ステップ１０２１）。ここで、本実施形態の家庭用情報掲示板１０１が、複数の利用者の操作を分けて受け付ける機能を備えている場合は、操作中の利用者に該当するデータのみをチェックすればよい。
【０１０１】
暫定キーワード４１１と同じキーワードがキーワード４１２に登録されていない場合は、暫定キーワード４１１に登録されているキーワードをキーワード４１２に登録し、重み４１３を設定する（ステップ１０２２）。ここで、設定する重み４１３の値（ｘ）はシステムが定めた値であり、例えば、０．１などの１．０以下の値である。本実施形態では、重みは、プロファイル生成機能１０５に予め設定されているものとする、なお、ユーザが設定するよう構成してもよい。重みの設定後、ステップ１０５１に進む。
【０１０２】
ステップ１０２１において、暫定キーワード４１１と同じキーワードがキーワード４１２に登録されている場合は、該当するキーワード４１２の重み４１３にシステムが設定した重みを加える（ステップ１０３１）。このとき、重み４１３を加えた日時を記憶しておき、ある程度の期間が過ぎたものはキーワード４１２から削除したり、前回の日時からの経過時間に応じて、元の重みの値、または加える重みの値を変化させるようにし、前回の日時からの経過時間が短いほど、重みの値が大きくなるように制御することも可能である。
【０１０３】
設定した重み４１３がシステムが定めた重みの最大値を超えていないかどうかをステップ１０４１において判別する（ステップ１０４１）。超えている場合はシステムが定めた重みの最大値に再設定し（ステップ１０３２）、ステップ１０５１に進む。本実施形態では、例えば、重みの最大値を１．０とする。
【０１０４】
ステップ１０４１において、超えていない場合は、利用履歴１０７を参照し、処理６０４が「未処理」と設定されているコンテンツのコンテンツＩＤを取得する（ステップ１０５１）。そして、取得したコンテンツＩＤにより特定されるコンテンツにアクセスし（ステップ１０６１）、コンテンツに含まれるキーワードを抽出する（ステップ１０７１）。
【０１０５】
キーワードの抽出は、キーワード抽出技術を用いて行われる。キーワードの抽出技術として、例えば、形態素解析の手法を用いることができる。形態素解析は、文を、形態素と呼ばれる言語の中で意味を持つ最小単位に分割し、分割後の形態素それぞれの品詞を見分けるものである。この場合、態素解析により、名詞と見分けられた形態素をキーワードとして抽出する。また、文書コーパスを利用する技術を用いてもよい。文書コーパスとは、実際に利用されている例文を大量に収集し、データベース化したものである。この文書コーパスをキーワードの辞書として利用し、キーワードを抽出する。
【０１０６】
そして、抽出したキーワードを暫定キーワード４１１として登録する（ステップ１０８１）。
【０１０７】
以上説明したように、本実施形態の家庭用情報掲示板１０１によれば、ユーザのコンテンツの利用状況に応じて自動的に抽出されたキーワードに基づいてさらにコンテンツが収集される。すなわち、暫定キーワード４１２による収集情報を表示することにより、電子メールに関連する情報や、視聴したＴＶ番組に関連する情報を手軽に収集できる。
【０１０８】
例えば、ユーザが電子メールを見た場合、当該電子メールから抽出したキーワードに基づいて、新たなコンテンツが収集される。このとき、家庭用情報掲示板１０１のディスプレイ２００に表示されているメールの近くに、そのメールから抽出した暫定キーワード４１２に基づいて収集されたコンテンツ等を表示するようにしてもよい。
【０１０９】
また、コンテンツプロパティ１１０に関連情報の項目を設け、電子メールの件名や本文に日付や場所が記載されていると判断できる場合は、その日付と場所の天気予報や、その場所までの地図、渋滞予測などの関連情報をそのメールのコンテンツＩＤ３０１と共に記憶してもよい。さらに、記憶した関連情報を自動収集された情報２３１としてディスプレイ２００に表示してもよい。
【０１１０】
本実施形態の家庭用情報掲示板１０１によれば、例えば、少年サッカークラブの合宿の連絡の電子メールが来た場合、当該電子メールに含まれる日程と場所との情報に基づいて、合宿場所での期間中の天気と、合宿場所周辺の地図、自宅から合宿所への行き方などが自動的にディスプレイ２００に表示される。また、ローカルのハードディスクに格納されている、昨年同時期の合宿の写真といった画像データなどが表示するコンテンツとして抽出される。このため、本実施形態の家庭用情報掲示板１０１によれば、一つのコンテンツから関連するコンテンツを集中的に収集表示することができ、利便性が向上する。上記の例では、さらに、ハードディスクに格納したあとで忘れてしまいがちな写真を眺めるきっかけにもなる。
【０１１１】
以上説明したように、本実施形態の家庭用情報掲示板１０１は、利用者によって予め設定された、電子メールのアカウントとディスプレイ２００への表示を許可する差出人との組み合わせ、および、キーワードとそれぞれの周知要求属性との組み合わせに従って、設定されたアカウントから電子メールを受信した場合、受信した電子メールの中から設定されたディスプレイ２００への表示を許可する差出人の電子メールと設定されたキーワードとに合致する電子メールのみを抽出し、抽出した電子メールに設定された周知要求属性を追加して、電子メールの受信日、差出人、件名などのヘッダの一部と周知要求属性、本文の出だしの一部分をディスプレイ２００に表示し、アニメーションで移動する表示を行い、リモコンなどの入力装置を介して所望の電子メールの選択を受け付けると電子メールソフトを起動して選択された電子メールの全文を表示し、選択された状態で、周知要求として表示されているユーザ名にチェックを付ける。
【０１１２】
また、本実施形態の家庭用情報掲示板１０１は、利用者ごとにキーワードを設定し、インターネットの更新情報（その情報を提示しているウェブページへのリンク情報を含む）、番組情報、および、情報家電の更新情報を収集するコンテンツ収集機能と、収集した情報からキーワードにヒットする情報をフィルタリングして管理するコンテンツ管理機能と、表示するコンテンツを編成して電子掲示板にアニメーションで表示させる表示コンテンツ編成機能とを備え、リモコンなどの入力装置で所望の情報を選択すると、ブラウザを起動させてリンク先のウェブページを表示する。また、利用者の利用履歴からキーワードを抽出して、利用者の嗜好傾向を表すキーワード群を生成するユーザプロファイル生成機能と、上述の手順に従ってキーワードにヒットした情報をディスプレイ２００に表示する機能とをさらに備える。
【０１１３】
また、電子メールを閲覧した後であれば、電子メールの件名、電子メールの本文の中に含まれるキーワードを抽出して一時的なキーワードとし、上述の手順に従ってディスプレイ２００に表示する機能と、テレビ番組を視聴可能な機器であれば、ライブ番組/録画番組を視聴後に、番組情報からキーワードを抽出して一時的なキーワードとし、上述の手順に従ってディスプレイ２００に表示する機能とを備える。
【０１１４】
すなわち、本実施形態の家庭用情報掲示板１０１は、グループ構成員である利用者からの電子メールによる情報の登録機能と、家庭用情報掲示板１０１による情報の自動収集機能とを備える。
【０１１５】
従って、本実施形態の家庭用情報掲示板１０１は、情報を共有したい少人数のグループで共用のディスプレイを利用する場合に適している。例えば、オフィスでのグループでの利用や、飲食店のテーブルでの利用など、ディスプレイが設置できる場所における各種のグループで利用できる。
【０１１６】
以上説明したように、本実施形態の家庭用情報掲示板１０１によれば、ユーザの利用履歴１０７からユーザの好みそうな情報が適宜、収集され、表示される。このため、日頃関心を持っている話題の要約だけを斜め読みして、更に関心のある話題の詳細情報をじっくり読む、という使い方ができるようになる。携帯電話や会社のメールアドレスを予め設定情報１０８に登録しておくことにより、関心のある情報のＵＲＬを登録先のメールアドレスに転送する、という使い方もできる。例えば、朝、電車に乗る前に情報をチェックしておき、必要な情報のみを携帯電話に送り、電車の中でじっくり読む、という使い方も可能である。
【０１１７】
また、拡張機能として、表示コンテンツ編成機能１０４に、ユーザが指定したキーワードを備える情報のみをコンテンツ１１１から抽出する機能を持たせてもよい。また、ディスプレイ２００上の表示画面上に、キーワード毎に「キーワードで収集した情報フォルダ」ボタン２４１を表示させ、ユーザからのキーワードの指定を受け付けるようにしてもよい。表示コンテンツ編成機能１０４は、ユーザからのボタン２４１の指定を受け付けると、当該ボタン２４１で特定されるキーワード、コンテンツプロパティ１１０の利用者／キーワード・プロパティ３０５に備えるコンテンツのみをコンテンツ１１１から抽出し、コンテンツ表示機能１０６に表示させる。
【０１１８】
さらに、所定の時間帯に利用される率が多いＷＥＢページやアプリケーション、あるいは、所定の番組を視聴した後に利用される率が多いＷＥＢページやアプリケーションなどを、表示コンテンツ編成機能１０４がユーザの利用履歴から予測し、当該ＷＥＢページやアプリケーションにアクセス可能なボタンを、それぞれ、「利用が予測されるＷＥＢページ」ボタン２４２、「利用が予測されるアプリケーション」ボタン２４３として、ディスプレイ２００に表示させるよう構成してもよい。
【０１１９】
上記の実施形態では、利用履歴１０７にはコンテンツの利用履歴しか残されていないが、アクセス頻度の高いＷＥＢページやアプリケーションを予測する機能を備える場合、アプリケーションやＷＥＢページの利用履歴も利用履歴１０７に記録し、コンテンツの利用との相関をとるよう構成する。
【０１２０】
更に、家庭内にディスプレイ２００が複数台設置されていた場合は、利用場所６０６、利用者６０７といった情報も利用履歴１０７として記録し、利用場所と人、時間との相関をとるよう構成することも可能である。このような構成により、表示コンテンツ編成機能１０４は、より適切な情報を表示させるよう編成することが可能となる。
【０１２１】
本実施形態の家庭用情報掲示板１０１は、テレビ受像機能付きのＰＣのアプリケーションソフトウェアの一つとして動作してもよいし、スクリーンセーバーとして機能してもよい。また、テレビ受像機への組み込みソフトウェアとして動作してもよい。この場合、例えば、テレビのリモコンボタンで呼び出せるように構成することもできる。
【０１２２】
本実施形態によれば、カレンダ、天気予報などの定型情報、ビデオフォンをよく利用する相手の状態、リマインダ、電子メール、さまざまな情報ソースから適宜抽出された最新情報を、情報掲示板が掲示/管理してくれるため、ユーザは手軽に自分に必要な情報を入手できるようになる。すなわち、ユーザの欲している情報を複数の情報源から自動収集して提示し、かつ、その情報を利用する可能性の高いシーンで情報を提示するため、利用者は情報源を気にすることなく、手軽に必要な情報を入手可能となる。
【０１２３】
また、家族用の電子メールアドレスを設けることなく、個人のアドレスに届く電子メールを家族で閲覧することが可能となるため、電子メールによる不特定の家族への伝達が可能となり、電子メールにより家族のコミュニケーションを支援することができる。
【０１２４】
さらに、電子メール閲覧ソフトとブラウザソフトと番組用ソフトというように、個々のコンテンツ毎に、複数のアプリケーションをユーザが選択して起動する必要がなく、１つの電子掲示板上でコンテンツを選択することによってアプリケーションを起動することが可能となる。
【図面の簡単な説明】
【０１２５】
【図１】本発明の実施形態のシステムの全体構成図である。
【図２】本発明の実施形態の家庭用情報掲示板の画面例を示す図である。
【図３】本発明の実施形態の各種プロパティの一例を示す図である。
【図４】本発明の実施形態の各種プロパティの一例を示す図である。
【図５】本発明の実施形態のコンテンツプロパティの一例を示す図である。
【図６】本発明の実施形態の利用履歴の一例を示す図である。
【図７】本発明の実施形態の家庭用情報掲示板の処理フローである。
【図８】本発明の実施形態のコンテンツ収集処理のフローである。
【図９】本発明の実施形態の表示コンテンツ編成処理のフローである。
【図１０】本発明の実施形態のユーザプロファイル生成処理のフローである。
【符号の説明】
【０１２６】
１０１：家庭用情報掲示板、１０２：コンテンツ収集機能、１０３：コンテンツ管理機能、１０４：表示コンテンツ編成機能、１０５：ユーザプロファイル生成機能、１０６：コンテンツ表示機能、１０７：利用履歴、１０８：設定情報、１０９：各種プロパティ、１１０：コンテンツプロパティ、１１１：コンテンツ、１１２：表示コンテンツメニュー、１２０：情報家電、１３０：メールサーバ、１４０：Ｗｅｂサーバ、１５０：サービス更新のメタデータ、１６０：送出器、２００：ディスプレイ
【図１】
0004584125.tif 000002
【図２】
0004584125.tif 000003
【図３】
0004584125.tif 000004
【図４】
0004584125.tif 000005
【図５】
0004584125.tif 000006
【図６】
0004584125.tif 000007
【図７】
0004584125.tif 000008
【図８】
0004584125.tif 000009
【図９】
0004584125.tif 000010
【図１０】
0004584125.tif 000011